(57)【要約】【課題】間伐材などの有効利用を図り、幼児の体力や知力、或は運動能力育成のために好適なブロック遊具を提供せんとする。【解決手段】間伐材などの廃丸太を用い、それぞれ中心部軸方向に連結用孔を設けたところの略円盤状または多角盤状を呈した複数のブロック本体と、この各ブロック本体の前記連結用孔に挿入できる複数の連結棒から成り、前記各ブロック本体を重ねて用いる際に、前記連結用孔に通した前記連結棒で前記互いのブロック本体を縦方向に連結させて重ね合わせた前記各ブロック本体の崩れを防止することができるように成したことで解決した。【選択図】図１
2017121362.tif 000002
【特許請求の範囲】
【請求項１】
それぞれ中心部軸方向に連結用孔を設けたところの略円盤状または多角盤状を呈した複数のブロック本体と、この各ブロック本体の前記連結用孔に挿入できる複数の連結棒から成り、前記各ブロック本体を重ねて用いる際に、前記連結用孔に通した前記連結棒で前記互いのブロック本体を縦方向に連結させて重ね合わせた前記各ブロック本体の崩れを防止することができるように成したことを特徴とする、ブロック遊具。
【請求項２】
前記ブロック本体に設けられる連結用孔は、その軸方向を貫通することなく両面側に設けられていることを特徴とする、請求項１に記載のブロック玩具。
【請求項３】
前記複数のブロック本体は、それぞれ連結用孔を有するベースブロック及び積み上げブロックから成り、前記連結棒は第２連結用孔を設けたフランジ部と軸部から成るものとし、前記連結用孔のうち前記ベースブロックに設けられるものは前記軸部を挿入できる小径孔とすると共に、前記積み上げブロックに設けられるものは、当該積み上げブロックの軸心部軸方向を貫通して設けられたところの小径孔とこの小径孔の一方の開口部側に設けられた拡径凹部としたことを特徴とする、請求項１に記載のブロック遊具。
【請求項４】
前記ブロック本体には、さらにその外周部に手掛け用の周溝或は凹部が設けられていることを特徴とする、請求項１に記載のブロック遊具。
【請求項５】
前記ブロック本体と前記連結棒は、間伐材などの廃丸太製であることを特徴とする、請求項１〜４のいずれか１項に記載のブロック遊具。
【発明の詳細な説明】
【技術分野】
【０００１】
本発明は、ブロック遊具に関し、より具体的には、幼児の体力や運動或いは知的能力育成のために好適に用いられ、情操教育上においても好適である上に、間伐材や廃丸太のような廃材の有効利用も図ることのできるブロック遊具に関する。
【背景技術】
【０００２】
外形が数ｃｍ程度のプラスチック製の各種形状のブロックを嵌め合せて遊ぶブロック玩具は公知であり、これを石、木材等の天然素材で作製し、幼児の感覚の発達等を促進するようにしたブロック玩具は、例えば下記特許文献１により公知である。また、怪我の防止等のためにこれらのブロックを発泡プラスチック等の合成樹脂で作製したものも下記特許文献２、３により公知である。
【０００３】
一方、上記のようなブロック玩具よりも大きな遊具で、幼児が室内で積み上げたり、転がしたり、登ったりして遊ぶ遊具として、ウレタンチップ・フォーム等の或る程度の弾性を有する材質からなる部材で、外形が数１０ｃｍ〜２ｍ程度の直方体、円筒体、半円形、星形等の各種ブロック状の部材の表面を合成皮革（ビニールシート等）で覆ったブロック遊具が例えば下記特許文献４により開示されており、更にまた、樹脂発泡体で作製された大型のブロック具も特許文献５により開示されており、デパートのキッズコーナーや、保育園などの施設に置かれて楽しまれている。
【０００４】
しかしながら、そのような室内ブロック遊具は、安全性の面を重視して上記の如くウレタンチップ・フォーム等の弾性素材を用いたものや、発泡樹脂製のもの、場合によっては厚手のビニール製の袋体を圧縮空気で膨らませたものなどが殆どであり、幼児の運動能力育成のために資することは少なかった。
他方、間伐材や廃材など丸太のままで積み上げ放置されている木材の処理が問題となっており、これらの廃木材の有効利用が求められている。
【先行技術文献】
【特許文献】
【０００５】
【特許文献１】特開２００５−１８５４９５号公報
【特許文献２】特開平６−１９０１５４号公報
【特許文献３】特開２００６−６８１７８号公報
【特許文献４】特開平５−１１５６２３号公報
【特許文献５】特開２００８−２７２１７７号公報
【発明の概要】
【発明が解決しようとする課題】
【０００６】
本発明は上記点に鑑み、幼児が室内で積み上げたり、転がしたり、積み上げた遊具の上を渡り歩いたりして遊ぶことにより、自然と体力がつき、運動神経等も発達して運動能力育成に適し、さらに知能の向上或いは情操教育上も有益なブロック遊具を提供することができ、合わせて放置されている間伐材や廃材などの廃丸太の有効利用も図ることのできるブロック遊具を提供することを目的とする。
【課題を解決するための手段】
【０００７】
上記課題を解決するため、本発明に係るブロック遊具は、それぞれ中心部軸方向に連結用孔を設けたところの略円盤状または多角盤状を呈した複数のブロック本体と、この各ブロック本体の前記連結用孔に挿入できる複数の連結棒から成り、前記各ブロック本体を重ねて用いる際に、前記連結用孔に通した前記連結棒で前記互いのブロック本体を縦方向に連結させて重ね合わせた前記各ブロック本体の崩れを防止することができるように成したことを特徴とする。
その際に本発明は前記ブロック本体に設けられる連結用孔を、その軸方向を貫通することなく両面側に設けることができる。
本発明はさらに、前記複数のブロック本体を、それぞれ連結用孔を有するベースブロック及び積み上げブロックとで構成し、前記連結棒は第２連結用孔を設けたフランジ部と軸部から成るものとし、前記連結用孔のうち前記ベースブロックに設けられるものは前記軸部を挿入できる小径孔とすると共に、前記積み上げブロックに設けられるものは、当該積み上げブロックの軸心部軸方向を貫通して設けられたところの小径孔とこの小径孔の一方の開口部側に設けられた拡径凹部とすることができる。
さらに、前記ブロック本体には、その外周部に手掛け用の周溝或は凹部が設けられていることを特徴とする。
そして、前記ブロック本体と前記連結棒は、間伐材などの廃丸太製であることを特徴とする。
【発明の効果】
【０００８】
本発明は、上記の如き構成を有することにより、ブロック遊具を構成する複数のブロック本体を重ね合わせて積み上げたり、並べたり、並べたブロック本体の上を歩いたり、飛び石状に並べたブロック本体の上を飛び歩いたりするうちに自然と体力が養われると同時に、知力も養われる。また、積み上げたブロックの上を渡り歩いたりすることによって、バランス感覚その他の運動能力も発達する。さらに、ブロック本体や連結棒が間伐材などの廃丸太である場合には、木材独特の香りや、暖か味のある質感、触感が得られ、情操教育の面でも好ましい効果が得られるものである。
【図面の簡単な説明】
【０００９】
【図１】本発明に係るブロック遊具の一実施例の組立状態を示す外観斜視図である。
【図２】図１に示したブロック遊具の分解斜視図である。
【図３】図１中のＡ−Ａ線に沿った断面図である。
【図４】本発明に係るブロック遊具の他の実施例の組立状態を示す外観斜視図である。
【図５】図４に示した実施例の分解斜視図である。
【図６】図４中のＢ−Ｂ線に沿った断面図である。
【図７】本発明に係るブロック遊具の幾つかの使用例を示す説明図である。
【発明を実施するための形態】
【００１０】
以下、図面を参照しつつ本発明に係るブロック遊具の好適な実施例について説明する。
【実施例１】
【００１１】
図１〜図３は実施例１に係るにブロック遊具１を示し、このブロック遊具１は、円盤状を呈した複数のブロック本体２と、この各ブロック本体２を積み重ねた際に互いに連結できる複数の連結棒３とで構成されている。各ブロック本体は、所定の径を有する好ましくは間伐材などの廃丸太から成る天然木材を所定の厚さに切り出したもので、外周に手掛かり用の周溝２ｃが設けられている。実施例のものは、直径ａ＝１５０ｍｍで、厚さｂ＝３０ｍｍのものである。望ましくは、その両面側と外周面と縁部は、研磨するなどして滑らかに仕上げられ、自然の木目のままでも良いが、必要に応じて表面にニスや塗料を塗るなどのことをしても良い。尚、このブロック本体２の直径ａと厚さｂはこの実施例のものに限定されない。直径ａは好ましくは１５０ｍｍ〜３００ｍｍで、厚さｂは直径に対応させて３０ｍｍ〜５０ｍｍ程度が好ましい。また、ブロック本体の外周に設けられている手掛かり用の周溝２ｃの深さや幅は任意である。
【００１２】
ブロック本体２の中心部軸方向には、両側から一対の内径が１５ｍｍ程度で深さが１０ｍｍ程度の連結用孔２ａ、２ｂが設けられ、この連結用孔２ａ、２ｂに挿入される連結棒３は、外径が１４．９ｍｍ程度で長さが２０ｍｍ程度の単なる丸棒である。もっとも連結用孔２ａ、２ｂの内径や深さ、及びこれに伴う連結棒３の外径や深さは、ブロック本体２の径や厚さによって、任意に選択され、実施例のものに限定されない。
【００１３】
したがって、この実施例１に係るブロック遊具１を用いて遊ぶ際に、各ブロック本体２を積み上げる場合には、下側に位置するブロック本体２に設けられた上側の連結用孔２ａに連結棒３の先端側半分を挿入し、次いで、その上に重ねるブロック本体２の下側に設けられた連結用孔２ｂに下側のブロック本体２より突出している連結棒３の上半分を挿入するものである。このようにして、簡単にブロック本体２同士を重ね合わせて積み上げることができ、この際に手掛かり用の周溝２ｃに指を掛けると、ブロック本体２を持ち上げ易くなるものである。このようにして、子供が上に載っても上側のブロック本体２がずれ落ちてしまうことを防止でき、安全性が高まるものである。
【００１４】
次に、以上の如くして積み上げられたブロック本体２を取り外す場合には、取り外したいブロック本体２の手掛かり用の周溝２ｃに両手の手先を入れて、そのブロック本体２をやや強い力で引き上げると、当該ブロック本体２の下面側の連結用孔２ｂからそれに挿通されている連結棒３の上半分が、それより下段のブロック本体２の上面側に残り、この連結棒３を連結用孔２ａから引き抜くことによって、取り外すことができる。尚、この各ブロック本体２を用いた様々な使用形態は後述する。
【実施例２】
【００１５】
図４〜図６は、他の実施例に係るブロック遊具５を示し、この実施例に係るブロック遊具５は、ブロック本体６を構成する複数のベースブロック７及び積み上げブロック８から成り、その大きさと材質は実施例１のものと同じである。このうちベースブロック７にはその片面側だけに連結用孔７ａが設けられ、積み上げブロック８にはその中心部軸方向に貫通する連結用孔８ａが設けられている。ベースブロック７と積み上げブロック８の外周には複数の手掛かり用に凹部７ｂ、８ｄが設けられている。ベースブロック７に設けられた連結用孔７ａは円形状の単なる内径が１５ｍｍ＋０．２ｍｍ、深さが１０ｍｍ程度の小径孔であるが、積み上げブロック８側に設けられる連結用孔８ａは、断面円形状の小径孔８ｂと、この小径孔８ｂの一端部側に設けた当該小径孔８ｂよりも大径の円形状を呈した拡径凹部８ｃから成る。この連結用孔８ａの小径孔８ｂの内径は１５ｍｍ＋０．２ｍｍ程度、拡径凹部８ｃの内径は５０ｍｍ＋０．２ｍｍ程度であり、その深さは１５ｍｍ＋０．２ｍｍ程度である。この連結用孔７ａと連結用孔８ａのサイズは、実施例のものに限定されず、ブロック本体６の大きさに合わせて、適宜選択される。
【００１６】
連結棒９はフランジ部９ａとこのフランジ部９ａから同軸方向に一体に設けたところの当該フランジ部９ａより小径の軸部９ｂから成り、その材質は実施例１と同じである。フランジ部９ａにはさらに軸部９ｂと同径の第２連結用孔９ｃが設けられている。フランジ部９ａの直径は、実施例のもので、４９ｍｍ程度であり、その厚さは１５ｍｍ程度である。また、軸部９ｂの径は１５ｍｍｍ程度であり、全体の長さは３１ｍｍ程度である。この連結棒９の各サイズは、実施例のものに限定されず、ブロック本体６の外径や厚さ、並びに連結用孔７ａと８ａのサイズに比例させて設けられることになる。
【００１７】
したがって、この実施例２に係るブロック遊具５を用いて遊ぶ際に、各ブロック本体６を積み上げる場合には、下側にベースブロック７を置き、その上に１番目の積み上げブロック８を重ね、この上側の積み上げブロック８に設けた連結用孔８ａに連結棒９の軸部９ｂを挿入させると、その軸部９ｂが連結用孔８ａから下方へ突出するので、この突出した部分をベースブロック７の連結用孔７ａへ挿入するものである。さらにその上に、積み上げブロック８を重ね合わせる場合には、１番目の積み上げブロック８に２番目の積み上げブロック８を重ね合わせ、この２番目の積み上げブロック８の連結用孔８ａに連結棒９を挿入させる。すると、この連結棒９の軸部９ｂが２番目の積み上げブロック８の連結用孔８ａから突出するので、この突出した部分を１番目の積み上げブロック８に挿入させた連結棒９のフランジ部９ａに設けた第２連結用孔９ｃに挿入するものである。このようにして、積み上げブロック８をベースブロック７に重ね合わせ、さらにこの１番目の積み上げブロック８の上に２番目もしくはそれ以上の積み上げブロック８を順次積み上げても外部からの力によって簡単には崩れないことになり、子供が上に載っても安全性の高いブロック遊具５を提供できるものである。尚、このブロック本体６を用いた様々な使用形態は、後述する。
【００１８】
図７には、本発明に係るブロック遊具１或は５の幾つかの使用状態の例が示されている。図７中の（ａ）図は、ブロック本体２や６を転がして遊ぶ状態を示し、（ｂ）図は、ブロック本体２や６を積上げ、その上によじ登って遊ぶ状態を示し、（ｃ）図は、積み上げたブロック本体２や６から飛び降りて遊ぶ状態を示し、（ｄ）図は、ブロック本体２や６を重ねたり或は単体のブロック本体２や６を列状に並べて順次渡り歩いて遊ぶ状態を示している。本発明に係るブロック遊具１或は５の使用方法はこれに限らず、各種各様の遊び方が可能である。
【産業上の利用可能性】
【００１９】
本発明は以上の如く構成したので、間伐材は廃丸太等の有効利用を図り、ブロック本体を積み上げたり、積み上げたブロックの上を渡り歩いたりすることによってバランス感覚も発達し、自然と運動能力が育成されるブロック遊具として好適に用いられるものである。また、ブロック本体や連結棒が木材であることによって、独特の香りや、暖か味のある質感、触感が得られ、情操教育の面でも好ましい効果が得られるブロック遊具を提供できるものである。
【符号の説明】
【００２０】
１          ブロック遊具
２          ブロック本体
２ａ、２ｂ  連結用孔
２ｃ        周溝
３          連結棒
５          ブロック遊具
６          ブロック本体
７          ベースブロック
７ａ        連結用孔
７ｂ        凹部
８          積み上げブロック
８ａ        連結用孔
８ｂ        小径孔
８ｃ        拡径凹部
８ｄ        凹部
９          連結棒
９ａ        フランジ部
９ｂ        軸部
９ｃ        第２連結用孔
【図１】
2017121362.tif 000003
【図２】
2017121362.tif 000004
【図３】
2017121362.tif 000005
【図４】
2017121362.tif 000006
【図５】
2017121362.tif 000007
【図６】
2017121362.tif 000008
【図７】
2017121362.tif 000009